(57)【要約】【課題】ガードアームとガードアーム係止部材との係止状態を不正解除されるのを防止できる建具を提供する。【解決手段】本発明にかかる建具１は、扉５に回動自在に設けたガードアーム９と、枠３又は子扉に設けたガードアーム係止部材１１と、回動規制部材１３と、操作部１５とを備え、回動規制部材１３は、ガードアーム９とガードアーム係止部材１１が係止状態にあるときにガードアームの回動軌跡内Ｆに侵入自在に設けてあり、回動軌跡内Ｆに侵入することでガードアーム９とガードアーム係止部材１１の係止が外れる方向へガードアーム９が回動するのを規制するものであり、操作部１５は回動規制部材１３をガードアーム９の回動軌跡Ｆ内から回動軌跡Ｆ外へ退避させるものであり、ガードアーム９の回動軌跡Ｆから外れた位置に設けてある。【選択図】図１
2020114988.tif 000002
【特許請求の範囲】
【請求項１】
扉に回動自在に設けたガードアームと、枠又は子扉に設けたガードアーム係止部材と、回動規制部材と、操作部とを備え、
回動規制部材は、ガードアームとガードアーム係止部材が係止状態にあるときにガードアームの回動軌跡内に侵入自在に設けてあり、ガードアームの回動軌跡内に侵入することでガードアームとガードアーム係止部材の係止が外れる方向へガードアームが回動するのを規制するものであり、
操作部は回動規制部材をガードアームの回動軌跡内から回動軌跡外へ退避させるものであり、ガードアームの回動軌跡から外れた位置に設けてあることを特徴とする建具。
【請求項２】
扉に回動自在に設けたガードアームと、枠又は子扉に設けたガードアーム係止部材と、回動規制部材とを備え、
回動規制部材は、ガードアームとガードアーム係止部材が係止状態にあるときにガードアームの回動軌跡内に侵入自在に設けてあり、ガードアームの回動軌跡内に侵入することでガードアームとガードアーム係止部材の係止が外れる方向へガードアームが回動するのを規制するものであり、
回動規制部材の回動軌跡内への進退方向がガードアームの回動軸と平行であり、ガードアームが扉側に回動した状態で回動規制部材がガードアームの上面又は下面に当接自在であることを特徴とする建具。
【請求項３】
扉に回動自在に設けたガードアームと、枠又は子扉に設けたガードアーム係止部材と、回動規制部材とを備え、
回動規制部材は、ガードアームとガードアーム係止部材が係止状態にあるときにガードアームの回動軌跡内に侵入自在に設けてあり、ガードアームの回動軌跡内に侵入することでガードアームとガードアーム係止部材の係止が外れる方向へガードアームが回動するのを規制するものであり、
ガードアーム及び回動規制部材は各々取付台座を有し、ガードアームの取付台座は扉に取り付けてあり、回動規制部材の取付台座がガードアームの取付台座に被着してあることを特徴とする建具。
【請求項４】
扉に回動自在に設けたガードアームと、枠又は子扉に設けたガードアーム係止部材と、回動規制部材と、退避防止部材とを備え、
回動規制部材は、ガードアームとガードアーム係止部材が係止状態にあるときにガードアームの回動軌跡内に侵入自在に設けてあり、ガードアームの回動軌跡内に侵入することでガードアームとガードアーム係止部材の係止が外れる方向へガードアームが回動するのを規制するものであり、
退避防止部材は、回動規制部材が回動軌跡内に侵入した状態で、回動規制部材に当接して回動規制部材が回動軌跡外へ退避するのを防止することを特徴とする建具。
【発明の詳細な説明】
【技術分野】
【０００１】
本発明は、建具に関する。  
【背景技術】
【０００２】
特許文献１には、扉に設けたガードアームを扉の室内側面に沿うように横に倒した状態から室内側に起立するように回動し、枠に設けたガードアーム係止部材に係止することで、扉の開きを制限するドア（建具）が開示されている。扉の開きを制限することで、来訪者の確認や室内の換気等を図るものである。
【先行技術文献】
【特許文献】
【０００３】
【特許文献１】特開２０１０−１１２１１号公報
【発明の概要】
【発明が解決しようとする課題】
【０００４】
しかし、特許文献１の技術では、室外側から枠と扉との間の隙間に針金や紐を挿入してガードアームに引掛けた後、扉を閉めて、ガードアームをその回動軌跡に沿って横に倒すように回動操作することで、ガードアームとガードアーム係止部材との係止状態を不正解除されるおそれがあった。
【０００５】
そこで、本発明は、ガードアームとガードアーム係止部材との係止状態を不正解除されるのを防止できる建具の提供を目的とする。
【課題を解決するための手段】
【０００６】
請求項１に記載の発明は、扉に回動自在に設けたガードアームと、枠又は子扉に設けたガードアーム係止部材と、回動規制部材と、操作部とを備え、回動規制部材は、ガードアームとガードアーム係止部材が係止状態にあるときにガードアームの回動軌跡内に侵入自在に設けてあり、ガードアームの回動軌跡内に侵入することでガードアームとガードアーム係止部材の係止が外れる方向へガードアームが回動するのを規制するものであり、操作部は回動規制部材をガードアームの回動軌跡内から回動軌跡外へ退避させるものであり、ガードアームの回動軌跡から外れた位置に設けてあることを特徴とする建具である。  
【０００７】
請求項２に記載の発明は、扉に回動自在に設けたガードアームと、枠又は子扉に設けたガードアーム係止部材と、回動規制部材とを備え、回動規制部材は、ガードアームとガードアーム係止部材が係止状態にあるときにガードアームの回動軌跡内に侵入自在に設けてあり、ガードアームの回動軌跡内に侵入することでガードアームとガードアーム係止部材の係止が外れる方向へガードアームが回動するのを規制するものであり、回動規制部材の回動軌跡内への進退方向がガードアームの回動軸と平行であり、ガードアームが扉側に回動した状態で回動規制部材がガードアームの上面又は下面に当接自在であることを特徴とする建具である。  
【０００８】
請求項３に記載の発明は、扉に回動自在に設けたガードアームと、枠又は子扉に設けたガードアーム係止部材と、回動規制部材とを備え、回動規制部材は、ガードアームとガードアーム係止部材が係止状態にあるときにガードアームの回動軌跡内に侵入自在に設けてあり、ガードアームの回動軌跡内に侵入することでガードアームとガードアーム係止部材の係止が外れる方向へガードアームが回動するのを規制するものであり、ガードアーム及び回動規制部材は各々取付台座を有し、ガードアームの取付台座は扉に取り付けてあり、回動規制部材の取付台座がガードアームの取付台座に被着してあることを特徴とする建具
である。  
【０００９】
請求項４に記載の発明は、扉に回動自在に設けたガードアームと、枠又は子扉に設けたガードアーム係止部材と、回動規制部材と、退避防止部材とを備え、回動規制部材は、ガードアームとガードアーム係止部材が係止状態にあるときにガードアームの回動軌跡内に侵入自在に設けてあり、ガードアームの回動軌跡内に侵入することでガードアームとガードアーム係止部材の係止が外れる方向へガードアームが回動するのを規制するものであり、退避防止部材は、回動規制部材が回動軌跡内に侵入した状態で、回動規制部材に当接して回動規制部材が回動軌跡外へ退避するのを防止することを特徴とする建具である。  
【発明の効果】
【００１０】
請求項１に記載の発明によれば、ガードアームとガードアーム係止部材とが係止状態にあるときに、回動規制部材をガードアームの回動軌跡内に侵入させることにより、ガードアームがガードアーム係止部材との係止状態を外れる方向に回動するのを規制するから、室外側からガードアームの操作による不正解除を防止できる。  
また、回動規制部材を回動軌跡外へ退避する操作部をガードアームの回動軌跡外に設けているので、回動規制部材を回動軌跡から退避してガードアームを扉側に回動したときに退避操作している指がガードアームやガードアーム係止部材に当るのを防止できるから、回動規制部材を安全に退避できる。
【００１１】
請求項２に記載の発明によれば、ガードアームとガードアーム係止部材とが係止状態にあるときに、回動規制部材をガードアームの回動軌跡内に侵入させることにより、ガードアームがガードアーム係止部材との係止状態を外れる方向に回動するのを規制するから、室外側からガードアームの操作による不正解除を防止できる。  
回動規制部材の回動軌跡内への進退方向が、ガードアームの回動軸と平行であり、ガードアームが扉側に回動した状態で回動規制部材がガードアームの上面又は下面に当接自在であるから、既存のガードアームに回動規制部材を後付けできる。
【００１２】
請求項３に記載の発明によれば、ガードアームとガードアーム係止部材とが係止状態にあるときに、回動規制部材をガードアームの回動軌跡内に侵入させることにより、ガードアームがガードアーム係止部材との係止状態を外れる方向に回動するのを規制するから、室外側からガードアームの操作による不正解除を防止できる。  
また、回動規制部材の取付台座はガードアームの取付台座に被着するだけであるから、取り付けが容易であり且つ意匠性も良い。
【００１３】
請求項４に記載の発明によれば、ガードアームとガードアーム係止部材とが係止状態にあるときに、回動規制部材をガードアームの回動軌跡内に侵入させることにより、ガードアームがガードアーム係止部材との係止状態を外れる方向に回動するのを規制するから、室外側からガードアームの操作による不正解除を防止できる。  
また、回動規制部材が回動軌跡外へ退避するのを防止する退避防止部材を設けているので、ガードアームとガードアーム係止部材との係止状態を確実に保持できるから、更に防犯性を高めることができる。
【図面の簡単な説明】
【００１４】
【図１】本発明の第１実施の形態にかかる建具の扉戸先側を室内側から見た図であって、ガードアームとガードアーム係止部材の係止状態を示す斜視図である。
【図２】本発明の第１実施の形態にかかる建具の扉戸先側を室内側から見た図であって、ガードアームとガードアーム係止部材の係止解除状態を示す斜視図である。
【図３】図１に示す回動規制具の図であり、（ａ）は正面図、（ｂ）は平面図、（ｃ）は左側面図、（ｄ）は右側面図、（ｅ）は斜視図である。
【図４】図１に示すガードアームとガードアーム係止部材の取り付け状態を示す図であり、（ａ）は正面図、（ｂ）は（ａ）に示すＡ−Ａ断面図、（ｃ）はガードアーム係止部材の左側面図である。
【図５】本発明の第１実施の形態にかかる建具を室内側から見た正面図である。
【図６】本発明の第２実施の形態にかかる建具の扉戸先側を室内側から見た図であって、ガードアームとガードアーム係止部材の係止状態で且つ回動規制部材がガードアームの回動軌跡内にある状態を示す斜視図である。
【図７】本発明の第２実施の形態にかかる建具の扉戸先側を室内側から見た図であって、ガードアームとガードアーム係止部材の係止状態にあり且つ回動規制部材がガードアームの回動軌跡から外れた位置にあるときの状態を示す斜視図である。
【図８】図６に示すガードアーム、ガードアーム係止部材、回動規制部材及び退避防止部材の取り付け状態を示す図であり、（ａ）は正面図、（ｂ）は（ａ）に示すＢ−Ｂ断面図であり、（ｃ）は（ａ）に示すＣ−Ｃ断面図である。
【図９】本発明の第３実施の形態にかかる建具の扉戸先側を室内側から見た図であって、ガードアームとガードアーム係止部材の係止状態で且つ回動規制部材がガードアームの回動軌跡内にある状態を示す斜視図である。
【図１０】本発明の第３実施の形態にかかる建具の扉戸先側を室内側から見た図であって、ガードアームとガードアーム係止部材の係止状態にあり且つ回動規制部材がガードアームの回動軌跡から外れた位置にあるときの状態を示す斜視図である。
【図１１】図９に示すガードアーム、回動規制部材及び退避防止部材の取り付け状態を示す図であり、（ａ）は正面図、（ｂ）は平面図、（ｃ）は底面図である。
【図１２】図９に示す回動規制部材の取付台座、回動規制部材及び退避防止部材の図であり、（ａ）は取付台座の正面図、（ｂ）は取付台座の側面図、（ｃ）は取付台座の底面図、（ｄ）は回動規制部材の正面図、（ｅ）は回動規制部材の平面図、（ｆ）は回動規制部材の左側面図、（ｇ）は退避防止部材の正面図、（ｉ）退避防止部材の右側面図、（ｈ）は退避防止部材の左側面図である。
【図１３】本発明の第４実施の形態にかかる建具の扉戸先側を室内側から見た図であって、ガードアームとガードアーム係止部材の係止状態を示すと共に制御部材が回動規制部材の作用許可位置にあるときの斜視図である。
【図１４】本発明の第４実施の形態にかかる建具の扉戸先側を室内側から見た図であって、ガードアームとガードアーム係止部材の係止状態を示すと共に制御部材が回動規制部材の作用停止位置にあるときの斜視図である。
【図１５】図１３に示す回動規制具の図のであり、（ａ）は正面図、（ｂ）は右側面図、（ｃ）は左側面図、（ｄ）は平面図、（ｅ）は制御部材を外した回動規制具の平面図である。
【発明を実施するための形態】
【００１５】
以下に、添付図面を参照して本発明の実施の形態について説明するが、まず、図１〜図５を参照して本発明の第１実施の形態について説明する。  
図５に示すように、本実施の形態にかかる建具１は、ドアであり、枠３と、扉５と、ガードアーム装置７とを備えている。図１に示すように、ガードアーム装置７は、扉５に回動軸Ｋを中心にして回動自在に設けたガードアーム９と、枠３に設けたガードアーム係止部材１１と、回動規制部材１３と、操作部１５とを有している。回動規制部材１３と操作部１５とは、ガードアーム９と別体の回動規制具１４に一体に設けてある。  
ガードアーム９は、扉５の戸先部に固定する取付台座１７を有し、図４に示すように、取付台座１７は扉５の室内側面５ａに当てて扉５の内部に設けた裏板１８にねじ２１ａ、２１ｂ、２１ｃで固定してある。ねじ２１ａ、２１ｂ、２１ｃは本実施の形態体では上下に３つ並べて設けてあり、裏板１８には、予めねじ２１ａ、２１ｂ、２１ｃに対応する３つの雌ねじ２４が形成してあると共に扉５の室内側面にも３つのねじ２１ａ、２１ｂ、２１ｃを各々挿通するねじ挿通孔が形成されている。取付台座１７にも３つのねじ２１ａ、２１ｂ、２１ｃに対応して、３つのねじ挿通孔２２が形成してある。取付台座１７と各ねじ２１ａ、２１ａ、２１ｂの関係については後述する。  
また、ガードアーム９の取付台座１７には、ガードアーム９を、回動軸Ｋ（図１参照）を中心にして回動自在に支持する一対の支持部１９が上下に設けてある。  
図１に示すように、ガードアーム９は、互いに間隔を開けて上下に設けた上アーム部９ａと下アーム部９ｂと上アーム部９ａと下アーム部９ｂを連結した連結部９ｃとを有している。上アーム部９ａと下アーム部９ｂとの間の間隔は、取付台座１７の支持部１９側を広くしてガードアーム係止部材１１を挿入自在な巾広部２３ａと、ガードアーム係止部材１１を摺動自在に係止する巾狭部２３ｂとが形成してある。  
ガードアーム９は、図１に示す室内側に起立した位置と、図２に示す扉の室内側表面に沿って横にした位置（扉側に回動した状態）との間の回動軌跡Ｆ（図１参照）間を回動自在としてある。
【００１６】
ガードアーム係止部材１１は、枠３にねじ２６で固定した取付台座２５に対して図２に矢印Ｅで示すように、先端を上にした上位置と横に倒した横位置との間を回動自在に設けてあり、上位置ではガードアーム９に非係止状態であり、横位置でガードアーム９に係止可能状態となる。ガードアーム係止部材１１の先端部には係止突起２７が突設してあり、各係止突起２７は、ガードアーム９の上アーム部９ａと下アーム部９ｂとに摺動自在に係止する。
【００１７】
回動規制具１４は、取付台座２９と、回動規制部材１３を突出自在に収納する収納部３１とを一体に有し、操作部１５は収納部３１に上下動自在に設けてある。  
図３（ａ）（ｃ）（ｄ）に示すように、収納部３１には、ばね３３が設けてあり、回動規制部材１３は、ばね３３によりガードアーム９の回動軌跡Ｆ側（上方）に向けて常時付勢されている。  
操作部１５は回動規制部材１３に取り付けてあり、収納部３１から突出している回動規制部材１３をばね３３に抗して押下げることで収納部３１側に引き込ませて、回動軌跡Ｆ外へ退避させるようになっている。  
図１、図３及び図４に示すように、回動規制部材の取付台座２９は、ガードアームの取付台座１７に被着する被着部３５と、扉５の室内側面５ａに当接する補強部３７とを有し、被着部３５と補強部３７とは段状に形成してあり、補強部３７は被着部３５よりも扉５の内周側に配置されている（図１参照）。  
図３に示すように、被着部３５には上下２箇所にねじ挿通孔３９ａ、３９ｂが形成してあり、２つのねじ挿通孔３９ａ、３９ｂは、ガードアームの取付台座１７の３つのねじ挿通孔２２（図４（ｂ）参照）のうち上２つのねじ挿通孔２２に連通しており、２つのねじ２１ａ、２１ｂでガードアームの取付台座１７と回動規制具１４とを共締めにより固定している。
【００１８】
ここで、ガードアーム装置７の装着について説明する。  
図１に示すように、枠３にガードアーム係止部材１１の取付台座２５をねじ２６で固定する。  
扉５には、ガードアーム９の取付台座１７をねじ固定するが、図４に示すように、ガードアームの取付台座１７は３つのねじ挿通孔２２のうち一番下のねじ挿通孔２２にねじ２１ｃのみを挿通してねじ固定する。  
次に、ガードアームの取付台座１７に回動規制部材の取付台座２９の被着部３５を被着し、補強部３７を扉５の室内面に当てて、２つのねじ挿通孔３９ａ、３９ｂ（図３参照）を各々ガードアームの取付台座１７の上２つのねじ挿通孔２２と連通する位置に配置し、２つのねじ２１ａ、２１ｂを締め付けて、回動規制部材の取付台座２９をガードアームの取付台座１７に共締めする。
【００１９】
次に、本実施の形態にかかる建具１の作用について説明する。  
図２に示すように、ガードアーム装置７が非作用状態にあるとき、即ち、扉５の開きを制限していないときには、ガードアーム９は扉５の室内側面５ａに沿って横に倒した状態（扉側に回動した状態）としてある。回動規制部材１３は、収納部３１内のばね３３（図３（ａ）（ｃ）（ｄ）参照）の付勢力により押されてガードアーム９の下アーム部９ｂの下面１０ａに当接した状態になっている。尚、ガードアーム係止部材１１は、図２では先端部を横にして倒しているが、ガードアーム装置７を全く使用しない場合、先端部を上にして起立した状態とする。  
ガードアーム装置７を作用させるとき、即ち、扉５の開きを制限するときには、図２に示すように、ガードアーム係止部材１１を横に倒す位置に回動し、ガードアーム９は横に倒した位置から回動軸Ｋを中心にして回動し、図１に示すように室内側に立ち上げた状態にする。これにより、ガードアーム係止部材１１の先端部がガードアーム９の巾広部２３ａに位置する。同時に、回動規制部材１３は、ガードアーム９の下面１０ａに当接した状態（図２参照）から収納部３１内のばね３３の付勢力によりガードアーム９の回動軌跡Ｆ内に侵入してその位置で保持される。  
ガードアーム９を立ち上げた状態で、扉５を少し開くと、ガードアーム係止部材１１は、巾広部２３ａから巾狭部２３ｂに移動して、ガードアーム係止部材１１の係止突起２７により、ガードアーム９とガードアーム係止部材１１が係止し、扉５の開きが規制される。
【００２０】
一方、ガードアーム９とガードアーム係止部材１１の係止を解除するときには、図２に示すように、扉５を閉じた後、操作部１５を押し下げて回動規制部材１３を回動軌跡Ｆ外へ退避させ、その状態のままガードアーム９を扉５側に回動して扉側に倒す。これにより、ガードアーム係止部材１１はその先端部が、ガードアーム９の巾広部２３ａに位置するので、ガードアーム９とガードアーム係止部材１１の係止が解除される。そして、操作部１５を放すと、回動規制部材１３はばね３３（図３（ａ）参照）の付勢力により押し上げられてガードアーム９の下面１０ａに当接する。その後、ガードアーム係止部材１１を先端が上に向くように回動する。
【００２１】
第１実施の形態にかかる建具１によれば、図１に示すように、ガードアーム９とガードアーム係止部材１１とが係止状態にあるときに、回動規制部材１３はガードアーム９の回動軌跡Ｆ内に侵入することにより、ガードアーム９がガードアーム係止部材１１との係止状態を外れる方向に回動するのを規制するから、室外側からガードアーム９の操作による不正解除を防止できる。  
回動規制部材１３を回動軌跡Ｆ外へ退避する操作部１５をガードアーム９の回動軌跡Ｆの外に設けているので、回動規制部材１３を回動軌跡Ｆから退避してガードアーム９を扉５側に回動したときに退避操作している指がガードアーム９やガードアーム係止部材１１に当るのを防止できるから、回動規制部材１３を安全に退避できる。
【００２２】
回動規制部材１３がガードアーム９の回動軌跡Ｆ内へ侵入する侵入方向は、ガードアーム９の回動軸Ｋと平行であり且つ回動規制部材１３はガードアーム９の下面１０ａに当接自在としているから、既存のガードアーム９に回動規制部材１３を後付けで設けることができる。  
回動規制部材１３の取付台座２９は、被着部３５をガードアーム９の取付台座１７に被着するだけであるから、取り付けが容易であり且つ意匠性も良い。  
図４に示すように、回動規制部材１３の取付台座２９のねじ挿通孔３９ａ、３９ｂ（図３参照）が、対応するガードアーム９の取付台座１７のねじ挿通孔２２に連通しているから、扉５の室内側面５ａや裏板１８に回動規制部材１３を取り付ける為の取付孔を新たに設けなくて済む。  
回動規制部材１３の取付台座２９は、ガードアームの取付台座１７の扉内周側で扉５の室内側面５ａに当接する補強部３７を有しているので、ガードアーム９を通じて取付台座２９に作用する扉内周側に向かう回転モーメントに対向でき、回動規制部材１３の取付強度を補強できる。  
ガードアームの取付台座１７のねじ挿通孔２２は３つあるが、そのうちの２つのねじ挿通孔２２を使って回動規制部材１３の取付台座２９を共締めしており、全部（３つ）のねじ挿通孔２２を共締めしていないので、回動規制部材１３の取り付け時にガードアーム９を押えながら作業しなくて済む。
【００２３】
以下に本発明の他の実施の形態を説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。  
図６〜図８に、本発明の第２実施の形態にかかる建具１を示す。図６及び図８に示すように、この第２実施の形態にかかる建具１では、回動規制部材１３は上支持部４７ａと下支持部４７ｂに回動自在に設けてあり、上支持部４７ａと下支持部４７ｂは、ガードアーム９の回動軸Ｋと略平行な回動軸Ｍを有している。図８（ｃ）に示すように、回動規制部材１３の後端（回動規制状態における扉内周側端）４３と回動軸Ｍとの間の寸法Ｓ１は、回動軸Ｍと扉５の室内側面５ａとの間の寸法Ｈ１よりも短くしてあり、回動規制部材１３の後端４３が回動軸Ｍの下を通って、回動軸Ｍを中心にして回動可能に設けてある。  
図１に示すように、回動規制部材１３の規制端（回動規制状態における枠側端）４５には、上下方向中間部にガードアーム係止部材１１との干渉を防止する凹部４９が形成されており、上部の規制端４５は上アーム部９ａに、下部の規制端４５は下アーム部９ｂに当接自在としてある。
【００２４】
下支持部４７ｂには、回動規制部材１３が回動軌跡Ｆから退避するのを防止する退避防止部材５１が設けてある。この退避防止部材５１は、下支持部材４７ｂの下に回動軸部５３を有し、回動軸部５３の回動軸Ｎを中心にして横（扉５の内周側）位置と上方位置との間を回動自在に設けてあり、ばね５５（図８（ａ）（ｃ）参照）により回動規制部材１３の回動軌跡Ｆ内に向けて常時付勢されている。  
図６に示すように、退避防止部材５１は、回動規制部材１３がガードアーム９の回動軌跡Ｆ内に侵入した状態にあるときに、後端４３に当接する規制部５１ｂと、規制部５１ｂを規制位置から解除操作する操作部５１ａを有している。操作部５１ａは、ガードアームの回動軌跡Ｆの外で且つ下側に設けてある。  
図８に示すように、第２実施の形態では、ガードアーム９の取付台座１７の上下３つのねじ挿通孔２２のうち、中央のねじ挿通孔２２のみをねじ２１ｂで扉５に直接固定し、中央のねじ挿通孔２２を挟む上下のねじ挿通孔２２について、各々回動規制部材１３の取付台座２９の上下２つのねじ挿通孔３９ａ、３９ｃを連通させて、回動規制部材１３の被着部３５をガードアーム９の取付台座１７に２１ａ及び２１ｃで共締めしている。
【００２５】
この第２実施の形態にかかる建具１の作用効果について説明する。  
ガードアーム装置７を非作用状態から作用させるときには、図７に示すように、ガードアーム９とガードアーム係止部材１１とを係止した後、退避防止部材５１の操作部５１ａをばね５５（図８（ａ）（ｃ）参照）の付勢力に抗して指で押し込こんで、退避防止部材５１の規制部５１ｂを扉５の室内側面５ａと、回動規制部材１３との間から退避させる。その状態で、回動規制部材１３の規制端４５をガードアーム９側に配置するように、回動規制部材１３を回動軸Ｍを中心に回動し、規制端４５をガードアーム９に当接させる（図６参照）。  
その後、退避防止部材５１の操作部５１ａを押している指を放すことで、図６に示すように、退避防止部材５１は回動規制部材１３の後端４３と扉５の室内側面５ａとの間に介在する。これにより、退避防止部材５１は、後端４３の移動を規制して回動規制部材１３が反転するのを防止し、回動規制部材１３が固定される。  
一方、ガードアーム装置７を非作用状態にするには、図６に示す状態から、退避防止部材５１の操作部５１ａをばねの付勢力に抗して押圧しつつ、回動規制部材１３を回動軸Ｍを中心に回動させて反転して、回動規制部材１３を回動軌跡Ｆ外に退避させることで、図７に示すように、規制端４５をガードアーム９から離す。
【００２６】
この第２実施の形態によれば、上述した第１実施の形態と同様の作用効果を奏すると共に、図６に示すように、退避防止部材５１を設けて、回動規制部材１３がガードアーム９の回動軌跡Ｆ外へ退避するのを防止しているので、ガードアーム９とガードアーム係止部材１１との係止状態を確実に保持できるから、更に防犯性を高めることができる。
回動規制部材１３には、その規制端４５に凹部４９を設けているので、ガードアーム係止部材１１との干渉を防止できる。  
図７及び図８に示すように、退避防止部材５１は、非作用時には回動規制部材１３と扉５の室内側面５ａとの間に配置しており、回動規制部材１３と退避防止部材５１を集約して配置しているので、意匠性が良い。また、非作用時には回動規制部材１３もガードアーム９と扉５の室内側面５ａとの間に配置しており、全体としてスマートで意匠性が良い。
【００２７】
図９〜図１２を参照して、本発明の第３実施の形態について説明する。  
図９に示すように、この第３実施の形態では、回動規制部材１３は支持部５７を有し、支持部５７がガードアーム９の回動軸Ｋと直交する方向の回動軸（水平方向の回動軸）Ｐを中心に回動し、扉５に対して起立した規制位置と扉５の上方に寝かせた規制解除位置（図１０参照）との間を移動自在にしてある。  
退避防止部材５１は、回動規制部材１３が規制位置にあるとき、即ち支持部５７をガードアームの回動軌跡Ｆ内に立ち上げたときに、退避防止部材５１の規制部５１ｂが支持部５７の上面に係止して規制解除位置に回動するのを防止している。  
尚、図１１（ａ）に示すように、退避防止部材５１の操作部５１ａはガードアーム９の回動軌跡Ｆから外れた位置に設けてある。
【００２８】
この第３実施形態では、ガードアーム装置７を非作用状態から作用させるときには、図１０に示すように、ガードアーム９とガードアーム係止部材１１とを係止した後、回動規制部材１３の支持部５７を指で立ち上げる。これにより、図９に示すように、退避防止部材５１はばね５５の付勢力に順じて規制部５１ｂが回動規制部材１３の支持部５７に係止して、回動規制部材１３がガードアーム９の回動軌跡Ｆから退避するのを防止する。  
この第３実施の形態によれば、上述した第２実施の形態と同様の作用効果を奏することができる。
【００２９】
図１３〜図１５を参照して、本発明の第４実施の形態について説明する。  
この第４実施の形態では、上述した第１実施の形態において、回動規制具１４に回動規制部材１３が突出するのを制御する制御部材６１を設けていることが第１実施の形態と異なっている。即ち、この第４実施の形態では、必要に応じて回動規制部材１３を作用させないことを選択できるようにしている。  
図１３及び図１４に示すように、制御部材６１は、収納部３１の上面３１ａと、下面３１ｂとに軸支する腕部６１ａと、操作部１５を覆う（図１４参照）覆い部６１ｂを有しており、腕部６１ａには回動軸６３が設けてある。  
図１５（ｅ）に示すように、制御部材６１は収納部３１の上面３１ａと下面３１ｂとに形成してある軸受け穴６４に腕部６１ａの回動軸６３が脱着自在に枢支されている。  
覆い部６１ｂは収納部３１の扉内周側位置（図１３参照）と操作部１５を覆う正面位置（図１４参照）との間を回動自在に設けてある。  
その他の構成は、操作部１５や収納部３１の形状が異なる以外は、第１実施の形態と同様である。
【００３０】
この第４実施の形態では、図１３に示すように、制御部材６１の覆い部６１ｂを収納部３１の扉内周側位置に配置し又は制御部材６１を収納部３１から外すことで、第１実施の形態と同様にガードアーム９を室内側に向けて立ち上げると収納部３１内に設けてある付勢部材の付勢力により回動規制部材１３はガードアームの回動軌跡Ｆ内に突出する。  
一方、図１４に示すように、制御部材６１を収納部３１に取り付けた状態で覆い部６１ｂが正面側に位置するように回動すると、腕部６１ａは回動規制部材１３が収納部３１からガードアームの回動軌跡Ｆ内への突出を阻止する。更に、制御部材６１の覆い部６１ｂは操作部１５を覆って隠す。尚、制御部材６１を外した状態にあるときに、規制部材１３を押し下げた状態にして、覆い部材６１ｂが正面側に位置するようにして制御部材６１を取り付けることで、回動規制部材１３が回動軌跡Ｆ内へ突出するのを阻止しても良い。  
この第４実施の形態では、制御部材６１を回動して、覆い部６１ｂを扉内周側の位置と正面位置とに位置を変えることで又は制御部材６１を脱着することで、回動規制部材１３を作用させたり作用させなかったりすることが選択できる。また、作用させない場合には、操作部１５を覆い部６１ｂで隠すことができる。  
そして、図１３に示すように、制御部材６１の覆い部６１ｂを扉内周側位置に配置することで又は制御部材６１を外すことで、第１実施の形態と同様に回動規制部材１３を作用させることができると共に第１実施の形態と同様な作用効果を奏することができる。
【００３１】
本発明は、上述した実施の形態に限定されるものではなく、その要旨を逸脱しない範囲で種々変形可能である。  
例えば、各実施の形態において、ガードアーム係止部材１１は、枠３に設けることに限らず、親子ドアの子扉に設けるものであっても良い。  
第１実施の形態において、回動規制部材１３の取付台座２９とガードアーム９の取付台座１７との共締めは、少なくとも一箇所あればよく、またどのねじ挿通孔を共締めするのかも制限されない。例えば、ガードアームの取付台座１７において３つあるねじ挿通孔２２のうち、下２つのねじ挿通孔２２を共締めしても良いし、上と下の２つのねじ挿通孔２２を共締めしても良い。  
第１及び第４実施の形態において、回動規制部材１３は、ガードアーム９の回動軌跡Ｆに対して上に設けて、上から下に突出して回動軌跡Ｆに侵入するものであっても良い。この場合には、回動規制部材１３を付勢するばね３３を設けないで、ガードアーム９を立ち上げると、回動規制部材１３は自重によりガードアーム９の回動軌跡Ｆ内に侵入する。また、ガードアーム９が扉側に回動した状態（ガードアームの非作動時）で、回動規制部材１３はガードアームの上面１０ｂ（図１参照）に当接自在となる。  
第２及び第３実施の形態において、退避防止部材５１は回動規制部材１３の上側に設けて退避防止部材５１の操作部５１ａをガードアームの回動軌跡Ｆに対して上側に外れた位置に設けても良い。
【符号の説明】
【００３２】
１    建具
３    枠
５    扉
９    ガードアーム
１０ａ  上面
１０ｂ  下面
１１  ガードアーム係止部材
１３  回動規制部材
１５  操作部
１７  ガードアームの取付台座
２９  回動規制部材の取付台座
３５  被着部
３７  補強部
５１  退避防止部材
Ｆ    ガードガームの回動軌跡
【図１】
2020114988.tif 000003
【図２】
2020114988.tif 000004
【図３】
2020114988.tif 000005
【図４】
2020114988.tif 000006
【図５】
2020114988.tif 000007
【図６】
2020114988.tif 000008
【図７】
2020114988.tif 000009
【図８】
2020114988.tif 000010
【図９】
2020114988.tif 000011
【図１０】
2020114988.tif 000012
【図１１】
2020114988.tif 000013
【図１２】
2020114988.tif 000014
【図１３】
2020114988.tif 000015
【図１４】
2020114988.tif 000016
【図１５】
2020114988.tif 000017
【手続補正書】
【提出日】令和2年5月11日(2020.5.11)
【手続補正１】
【補正対象書類名】特許請求の範囲
【補正対象項目名】全文
【補正方法】変更
【補正の内容】
【特許請求の範囲】
【請求項１】
扉に回動自在に設けたガードアームと、枠又は子扉に設けたガードアーム係止部材と、回動規制部材とを備え、
回動規制部材は、ガードアームとガードアーム係止部材が係止状態にあるときにガードアームの回動軌跡内に侵入自在に設けてあり、ガードアームの回動軌跡内に侵入することでガードアームとガードアーム係止部材の係止が外れる方向へガードアームが回動するのを規制するものであり、
ガードアーム及び回動規制部材は各々取付台座を有し、ガードアームの取付台座は扉に取り付けてあり、回動規制部材の取付台座がガードアームの取付台座に被着してあることを特徴とする建具。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
請求項１に記載の発明は、扉に回動自在に設けたガードアームと、枠又は子扉に設けたガードアーム係止部材と、回動規制部材とを備え、回動規制部材は、ガードアームとガードアーム係止部材が係止状態にあるときにガードアームの回動軌跡内に侵入自在に設けてあり、ガードアームの回動軌跡内に侵入することでガードアームとガードアーム係止部材の係止が外れる方向へガードアームが回動するのを規制するものであり、ガードアーム及び回動規制部材は各々取付台座を有し、ガードアームの取付台座は扉に取り付けてあり、回動規制部材の取付台座がガードアームの取付台座に被着してあることを特徴とする建具である。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
請求項１に記載の発明によれば、ガードアームとガードアーム係止部材とが係止状態にあるときに、回動規制部材をガードアームの回動軌跡内に侵入させることにより、ガードアームがガードアーム係止部材との係止状態を外れる方向に回動するのを規制するから、室外側からガードアームの操作による不正解除を防止できる。
また、回動規制部材の取付台座はガードアームの取付台座に被着するだけであるから、取り付けが容易であり且つ意匠性も良い。
【手続補正９】
【補正対象書類名】明細書
【補正対象項目名】００１３
【補正方法】削除
【補正の内容】